(57)【特許請求の範囲】
【請求項１】
デッキ面や壁面等の取付部に水栓本体やシャワースタンド等の水栓部品を取り付けるための取付台座であり、前記水栓部品が固定される取付ベースと、該取付ベースに回動自在に挿通されたボルトと、前記取付部に穿設された取付孔に挿入可能に構成され、前記ボルトの締め付けにより前記取付ベースと協働して前記取付部を挟持する挟持具と、を備えた水栓部品の取付台座であって、前記取付ベースには第１ボルト、第２ボルト及び第３ボルトの３本のボルトが取り付けられ、前記挟持具は、第１ボルト及び第２ボルトが螺入された固定片と、第３ボルトが螺入され、該第３ボルトと共に回動して前記固定片とで前記取付孔に挿通可能な状態又は挿通不能な状態を形成する可動片とからなり、前記可動片は、前記第１ボルト、前記第２ボルト又は前記固定片に当接することにより回動が規制されて前記取付孔に挿通不能な状態に位置決めされることを特徴とする水栓部品の取付台座。
【請求項２】
前記可動片は、前記第１ボルト又は前記第２ボルトに当接することにより回動が規制され、前記固定片及び前記可動片の重なり合う部分には、固定片と可動片との干渉を避ける逃がし部が設けられ、前記可動片又は前記固定片の少なくとも一方には、固定片又は可動片が螺進して可動片又は固定片に当接すると、固定片と干渉しない方向に可動片を回動させる傾斜面が設けられていることを特徴とする請求項１に記載の水栓部品の取付台座。
【発明の詳細な説明】
【０００１】
【発明の属する技術分野】
本各発明は、デッキ面や壁面等の取付部に水栓本体やシャワースタンド等の水栓部品を取り付けるための水栓部品の取付台座に関する。
【０００２】
【従来の技術】
従来、デッキ面や壁面等の取付部に水栓本体やシャワースタンド等の水栓部品を取り付けるには、取付部に穿設された取付孔に水栓部品の固定部を挿通し、取付部の裏側からこの固定部にナットを螺着して、水栓部品とナットとにより取付部を挟持していた。しかしながら、この取付手段によると、取付部の裏側からナットのはめ込み・締め付けを行わなければならず、このため取付作業が困難であり、また、締め付けを行う際には、取付部表側で水栓部品が回転しないように保持する者と、取付部裏側でナットの締め付けを行う者との二人の作業者が必要となり作業性も悪かった。そこで、図１に示すような取付台座１００が用いられていた。この取付台座１００は、取付部１の表側からの作業のみにより取付部１に固定することができるものであり、取付部１に固定された後に、水栓本体３等の水栓部品が取り付けられるものである。この従来の取付台座を、図１０及び図１１を参照して以下に説明する。
【０００３】
図１０に示す取付台座１００（特開平１０−３１８３９８号公報記載の「物品の取付構造」。以下、従来例１とする。）は、上部に水栓本体が取り付けられる取付ベース１１０と、取付ベース１１０に対して回動自在に下向きに挿通された第１ボルト１３１及び第２ボルト１３２の２本のボルトと、第１ボルト１３１に予め螺着された挟持具１２０とを備えているものである。挟持具１２０は湾曲された半円弧状に形成され、その周方向長は取付部１の取付孔の直径よりも大きく設けられており、取付部１裏側から取付孔の周縁部に当接されて取付ベース１１０と協働して取付部１を挟持できるように設けられている。また、挟持具１２０には、第１ボルト１３１に予め螺着された部位と反対の端部付近に、第２ボルト１３２が螺着可能なねじ孔１２１が設けられている。また、第２ボルト１３２は第１ボルト１３１よりも短く設けられている。
【０００４】
このような取付台座１００において、挟持具１２０を第１ボルト１３１の所定の位置（第２ボルト１３２の先端がねじ孔１２１の上部に設けられた係止部１２２に係止される位置）まで螺入した上で、ねじ孔１２１側を下にして挟持具１２０を傾かせた状態で、ねじ孔１２１側から挟持具１２０を取付孔に挿入する。上記したように挟持具１２０の周方向長は取付孔の直径よりも大きいが、このように挟持具１２０を傾けて挿入することにより、挟持具１２０を取付孔に挿入することができる。そして挟持具１２０を取付孔に挿入した後、取付ベース１１０を取付部１の所定位置に配置する。次いで取付部１の表側から第１ボルト１３１を上方から見て時計回りに回転させると、挟持具１２０が第１ボルト１３１と共回りして、挟持具１２０のねじ孔１２１側の端部が第２ボルト１３２方向（図中の矢印方向）に向かって移動する。ここで、挟持具１２０は、予め、第２ボルト１３２の先端がねじ孔１２１の上部に設けられた係止部１２２に係止されるように第１ボルト１３１の所定の位置まで螺進されており、係止部１２２への第２ボルト１３２の係止により共回りが規制される。
【０００５】
そして、取付ベース１１０上方より、係止部１２２に係止された第２ボルト１３２を回転させると、そのまま第２ボルト１３２がねじ孔１２１に螺入される。そしてこれと同様に第１ボルト１３１も回転させることにより挟持具１２０全体が上方に螺進され、この挟持具１２０上面と取付ベース１１０下面とで取付部１が挟持され、もって取付台座１００が取付部１に固定される。
【０００６】
次いで図１１に示す別の取付台座１００（特開平１１−８１４０１号公報記載の「水栓の取付構造」。以下、従来例２とする。）について説明する。この取付台座１００は、先端に各々挟持具１２０を螺着させた２本のボルト１３０と、挟持具１２０の回転を規制する回り止め１４０が設けられたものである。挟持具１２０は、その中心から偏芯した部位にボルト１３０が取り付けられている。挟持具１２０は、ボルト１３０と共回り可能に取り付けられており、平面視においてボルト１３０からの長さが長い部位を内向きにすると、２つの挟持具１２０が取付孔に挿入可能となり、一方、長い部位を外向きにすると２つの挟持具１２０が取付孔に挿通不能となる。このような挟持具１２０を、平面視においてボルト１３０からの長さが長い部位を内向きにして取付孔に挿入し、取付孔に挿入した後にボルト１３０を回転させて長い部位を外向きにして取付部１から抜脱しないようにすることができる。
【０００７】
ここで、挟持具１２０を取付孔に挿入した後、取付台座１００上方よりボルト１３０を回転させると、挟持具１２０はボルト１３０と共回りするが、回り止め１４０により所定の向きで挟持具１２０の共回りが規制される。したがって、回り止め１４０による規制後は、ボルト１３０をさらに回転させることにより挟持具１２０が上方に螺進され、この挟持具１２０上面と取付ベース１１０下面とで取付部１が挟持され、もって取付台座１００が取付部１に固定される。
【０００８】
このように、図１、図１０、図１１に示した従来の取付台座１００は、いずれも、取付部１の表側からの作業により固定できるものである。そして、このように固定された取付台座１００に対して水栓本体３等の水栓部品を固定すればよいことから、取付部１への水栓部品の取り付けを一人で簡便に行うことができる。
【０００９】
【発明が解決しようとする課題】
しかしながら上記した従来の取付台座１００では、以下のような問題が生じていた。
【００１０】
まず、従来例１では、挟持具１２０に係止部１２２を設けなければならないことから構造が複雑となっている。また、取付孔に挿入した後、挟持具１２０の係止部１２２に第２ボルト１３２の先端を係止させなければ、挟持具１２０のねじ孔１２１に第２ボルト１３２を螺入することができないため、取付孔への挟持具１２０の挿入に先立って、第２ボルト１３２の先端位置に対応するように挟持具１２０の高さを合わせて第１ボルト１３１に位置決めしておかなければならず、このため取り付け作業が煩雑である。さらに、挟持具１２０の係止部１２２に第２ボルト１３２の先端を係止させることができても、ねじ孔１２１の入り口に第２ボルト１３２の先端が挿入されなければ、第２ボルト１３２の螺入が円滑に行われない場合もある。このような場合には、第１ボルト１３１を引き上げる等して、挟持具１２０を第２ボルト１３２の先端に押圧する作業も必要となり、この点でも取り付け作業が煩雑となる。
【００１１】
次に、従来例２では、挟持具１２０の共回りを規制する回り止め１４０を別途設けなければならないことから、構造が複雑となる。また、回り止め１４０は、取付ベース１１０からピン状に突出された脆弱なものであるため、取付孔への挿入に際して折れ曲がったり破損しないように細心の注意を払う必要があり、このために取り付け作業が煩雑となる。また、このような回り止め１４０の強度を確保するには、例えば２つの回り止め１４０の先端部分を互いに連結して拘束する等しなければならず、構造がより複雑となる。
【００１２】
また、各従来例では、取付ベース１１０に、水栓本体３から延設された接続管１１２等を挿通する開口部１１が設けられているのであるが、この開口部１１は、接続管１１２等を円滑に挿通させるために、取付ベース１１０の中央部分に大きく開口している。よって、取付ベース１１０におけるボルト１３０，１３１，１３２の配置部位は取付ベース１１０の周縁の片側に限られる。このため、取付台座１００を取付部１に固定した際には、偏った位置に偏在されるボルト１３０，１３１，１３２が締め付けられることにより、取付台座１００の片側にだけ強く力が加わりやすい。このため、取付後の取付台座１００に横方向から力が加わった場合に、取付台座１００が横滑りを起こしやすく、取付台座１００の取付部１への堅固な固定が困難であるという問題を生じていた。
【００１３】
本各発明は上記した従来の水栓部品の取付台座の問題点を解消するものであり、構造が簡単で取り付け作業の容易な取付台座を提供することを目的とする。また、取付部へ堅固に取り付けることのできる取付台座を提供することも目的とする。
【００１４】
【課題を解決するための手段】
以上の課題を解決するために、本各発明の採った手段を以下に説明する。本発明の請求項１に記載の水栓部品の取付台座は、「デッキ面や壁面等の取付部に水栓本体やシャワースタンド等の水栓部品を取り付けるための取付台座であり、前記水栓部品が固定される取付ベースと、該取付ベースに回動自在に挿通されたボルトと、前記取付部に穿設された取付孔に挿入可能に構成され、前記ボルトの締め付けにより前記取付ベースと協働して前記取付部を挟持する挟持具と、を備えた水栓部品の取付台座であって、前記取付ベースには第１ボルト、第２ボルト及び第３ボルトの３本のボルトが取り付けられ、前記挟持具は、第１ボルト及び第２ボルトが螺入された固定片と、第３ボルトが螺入され、該第３ボルトと共に回動して前記固定片とで前記取付孔に挿通可能な状態又は挿通不能な状態を形成する可動片とからなり、前記可動片は、前記第１ボルト、前記第２ボルト又は前記固定片に当接することにより回動が規制されて前記取付孔に挿通不能な状態に位置決めされることを特徴とする水栓部品の取付台座」である。
【００１５】
本発明では、挟持具を構成する固定片及び可動片がボルトに予め螺入されている。よって、取付台座の固定作業に際して、挟持片をボルトに螺入しなければならないといった煩雑な作業を必要としない。また、可動片の位置決めは、取付台座の固定に必要な機能部材である第１ボルト、第２ボルト又は固定片によりなされる。よって、可動片の位置決めのためだけの部材を必要とせず、構造を簡略化できる。
【００１６】
さらに、少なくとも３本のボルトにより取付ベースを固定するため、一直線上にはない３点において取付台座を取付部に固定することができるので、ボルトの締め付けにより取付ベースの片側にのみ強い力が加わるおそれが少ない。特に、３本のボルトを、取付ベースの軸心に対して１８０°以上の範囲で配置すると、挟持具を取付部側に引き寄せる支点により描かれる３角形の内側に取付ベースの軸心が位置することになる。よって、このようにした場合には、固定力が取付ベースの一側に偏在することなく、取付ベースをより一層堅固に固定することができる。
【００１７】
本発明の請求項２に記載の水栓部品の取付台座は、「前記可動片は、前記第１ボルト又は前記第２ボルトに当接することにより回動が規制され、前記固定片及び前記可動片の重なり合う部分には、固定片と可動片との干渉を避ける逃がし部が設けられ、前記可動片又は前記固定片の少なくとも一方には、固定片又は可動片が螺進して可動片又は固定片に当接すると、固定片と干渉しない方向に可動片を回動させる傾斜面が設けられていることを特徴とする請求項１に記載の水栓部品の取付台座」である。
【００１８】
第１ボルト又は第２ボルトに可動片が当接して可動片の回動が規制される構成では、可動片の第１ボルト又は第２ボルトに当接する部分が固定片と重なり合う。ここで、この重なり合う部分においては、固定片側又は可動片側に逃がし部を設ける等して、固定片と可動片との干渉を避けるのであるが、固定片と可動片との干渉をただ単に避けただけでは、取付孔への固定片及び可動片の挿入に先駆けて、ボルトの軸心方向における固定片及び可動片の相互の位置関係を正しくしておかなければならないといった煩雑な作業を必要とする。これは、固定片及び可動片のうち、上記重なり合う部分において取付ベース側に位置すべき一方の部材（以下、「上側部材」という）が、他方の部材（以下、「下側部材」という）よりも反取付ベース側に位置すると、上側部材のボルトを締め付けて上側部材を螺進させても、上側部材が下側部材に当接して引っかかり、上側部材のそれ以上の螺進が阻止されてしまうため、上側部材と下側部材との位置関係を予め正しくしておかなければならないからである。
【００１９】
そこで、本発明では、固定片と可動片との重なり合う部分に逃がし部を設けて干渉を避けると共に、固定片又は可動片の少なくとも一方に傾斜面を設けることで、上記問題を解決している。すなわち、可動片が固定片よりも取付ベース側に位置すべき態様において、可動片が固定片よりも反取付ベース側に位置する場合には、ボルトの締め付けにより可動片が螺進して固定片に当接すると、この可動片自体が傾斜面により固定片と干渉しない方向に回動するため、可動片は、固定片との干渉を受けずにさらなる螺進が可能となる。よって、ボルトの締め付けにより可動片をさらに螺進させて、可動片を取付部の裏面に当接させ、可動片と取付ベースとで取付部を挟持することができる。一方、固定片が可動片よりも取付ベース側に位置すべき態様において、固定片が可動片よりも反取付ベース側に位置する場合には、ボルトの締め付けにより固定片が螺進して可動片に当接すると、可動片が傾斜面により固定片と干渉しない方向に回動する。よって、固定片は、可動片による干渉を受けずにさらなる螺進が可能となり、ボルトの締め付けにより固定片をさらに螺進させれば、固定片と取付ベースとで取付部を挟持することができる。
【００２０】
【発明の実施の形態】
次に、請求項１及び請求項２の各発明を適用した取付台座の実施の形態を図１から図９を参考にして詳細に説明する。なお、以下の実施の形態は、例示であり本各発明はこれに限られることなく本各発明の趣旨の範囲内で種々の変更が可能である。図１に示すように、この取付台座１０は、デッキ面や壁面等の取付部１に設けられた取付孔２に、取付部１の表側から装着固定されるものであり、さらに、その上部に湯水混合水栓の水栓本体３を固定して、この取付台座１０を介して水栓本体３を取付部１に固定するものである。水栓本体３は、「水栓部品」の一例を示すものである。取付台座１０は、その取付ベース１２を取付部１上に露呈させて取付部１に固定されている。
【００２１】
図２に示すように、この取付台座１０には、取付ベース１２と、この取付ベース１２から下方に向けて挿通された第１ボルト１４、第２ボルト１６、第３ボルト１８と、第１ボルト１４及び第２ボルト１６が螺入された固定片２０と、第３ボルト１８が螺入された可動片２２とが備えられている。そして、この固定片２０及び可動片２２により、挟持具２４が構成されている。
【００２２】
取付ベース１２は、略円筒形状に形成されている。取付ベース１２の下部寄りには、取付孔２の内径よりも大径に形成されたフランジ部２６が周設されており、後述するように、挟持具２４とこのフランジ部２６が協働して取付部１を挟持する。
【００２３】
上記したように、取付ベース１２には、第１ボルト１４，第２ボルト１６，第３ボルト１８の３本のボルトが取り付けられている。これらのボルト１４，１６，１８頭部には、六角レンチやドライバー等の工具が掛けられる工具掛け１５が設けられている。また、これらのボルト１４，１６，１８は、取付ベース１２の周縁部に内側に向けて突設された挿通部２８に各々設けられた挿通孔（図示省略）に挿通されている。また、第１ボルト１４及び第２ボルト１６は、取付ベース１２の平面視片側にやや偏って挿通されており、第３ボルト１８は、第１ボルト１４に平面視近接した位置で取付ベース１２に挿通されている。
【００２４】
第１ボルト１４及び第２ボルト１６には、固定片２０が螺入されて取り付けられており、これらの第１ボルト１４又は第２ボルト１６を締め付けることにより、固定片２０が取付ベース１２寄りに螺進するように設けられている。固定片２０は平面視において円弧状に形成されており、取付台座１０が取付部１に取り付けられた状態で、図５に示すように、取付孔２の周縁部から外方へはみ出して取付部１の裏側に当接可能な形状に設けられている。また、固定片２０の取付ベース１２側の当接面は、平滑面に形成されており、取付部１に当接して取付ベース１２の下面とで取付部１を挟持固定する際に、固定片２０が取付部１裏面に均一に圧着されるように設けられている。また、固定片２０の第１ボルト１４側端部には、後述する可動片２２の可動片当接部３４が当接する固定片当接部３０が設けられている。また、固定片当接部３０の取付ベース１２側の面には、可動片当接部３４を収容可能な切り欠き状の逃がし部３２が設けられている。
【００２５】
第３ボルト１８には、可動片２２が螺入されて取り付けられており、第３ボルト１８を締め付けることにより、可動片２２が取付ベース１２寄りに螺進するように設けられている。可動片２２には、固定片２０と異なり１本のボルト１８が螺入されて取り付けられているだけであるので、第３ボルト１８を回動させると、可動片２２も共回りして第３ボルト１８軸心周りに回動可能に設けられている。可動片２２は、平面視において略くの字状に設けられており、第３ボルト１８は、このくの字状の可動片２２の、平面視において一端寄りに螺入されている。そして、図３及び図５に示すように、可動片２２は、固定片２０と併せて、取付孔２に挿通可能（図３）又は挿通不能（図５）に変位可能に設けられている。
【００２６】
可動片２２の、平面視において第３ボルト１８と反対側の端部寄りには、第３ボルト１８の回動とともに可動片２２が共回りされた際に、第１ボルト１４に当接可能な長さに設けられた可動片当接部３４が形成されている。可動片２２は、図４及び図５に示すように、第１ボルト１４に当接して回動を規制され、この状態でさらに第３ボルト１８を回動させることにより、第３ボルト１８に沿って螺進可能に設けられている。
【００２７】
また、図４に示すように、可動片当接部３４は固定片２０の逃がし部３２に収容可能な厚みに形成されている。また、可動片２２の取付ベース１２側の当接面は、固定片２０と同様に平滑面に形成されており、取付部１に当接して取付ベース１２の下面とで取付部１を挟持固定する際に、可動片２２が取付部１裏面に均一に圧着されるように設けられている。なお、固定片２０、可動片２２いずれの取付ベース１２側の当接面も、取付部１裏側に堅固に圧着されるように、その表面に突起などを設けてもよい。
【００２８】
なお、固定片２０における逃がし部３２が設けられていない部分、及び、可動片２２における逃がし部３２に収容されない部分、特に、固定片２０の第２ボルト１６が螺入される部位や、可動片２２の第３ボルト１８が螺入される部位は、固定片当接部３０や可動片当接部３４よりも肉厚に形成されている。これにより、固定片２０及び可動片２２の各々の強度が十分に確保され、また、螺入されるボルト１６，１８に対して固定片２０や可動片２２がぐらつきなどを生じ難く、取付部１への取付台座１０の固定を堅固にできる。
【００２９】
ついで、この取付台座１０の、取付部１への取付方法について説明する。まず、図２及び図３に示すように、可動片２２の可動片当接部３４を取付台座１０平面視内方に向けて回動させておく、この状態では、図３に示すように、固定片２０及び可動片２２から構成される挟持具２４は取付孔２内に収まるので、挟持具２４を取付孔２裏側に挿通できる。挟持具２４を取付孔２裏側に挿通させた後、取付台座１０の位置決めを行いながら、第１ボルト１４及び第２ボルト１６を締め付けていく。この際には、第１ボルト１４及び第２ボルト１６を交互に少しずつ締め付けていっても良いし、又は、それぞれのボルト１４又は１６の一方を完全に締め付けた後に、他方を締め付けていっても良い（後者の順序で締め付ける場合には、他方のボルトが一時的に取付台座１０表側に突出することになるが、通常、特に作業に支障はない。）。このようにして、まず固定片２０が取付部１裏面に圧着され、取付ベース１２とで協働して取付部１を挟持固定する。この状態を示したのが図６である。
【００３０】
ついで、第３ボルト１８を締め付ける。第３ボルト１８と共回りされた可動片２２は、まず、図６に示すように第１ボルト１４に当接して回動を規制される。さらに、第３ボルト１８を締め付けると、可動片２２が取付部１側に螺進される。ここで、可動片２２の可動片当接部３４先端には、取付側ベース１２側の面に、取付ベース１２側に向けて可動片当接部３４基端側に傾斜した傾斜面３６が形成されている。可動片２２を取付ベース１２側に螺進させていくと、可動片当接部３４の上面が固定片当接部３０の下面に当接されるが、図７に示すように、傾斜面３６にしたがって可動片２２が可動片当接部３４基端側、すなわち固定片２０との干渉を避ける方向に回動し、図８に示すように、固定片当接部３０に乗り上げる。そして、さらに第３ボルト１８を締め付けていくと、可動片当接部３４は、固定片当接部３０を乗り越え、第３ボルト１８と共に回動して逃がし部３２内に収まり、第１ボルト１４に再び当接してその回動が規制され、最終的には、図９に示すように、取付ベース１２とで協働して取付部１を挟持固定する。
【００３１】
上記した説明では、３本のボルト１４，１６，１８のうち最初に第１ボルト１４又は第２ボルト１６を締め付けていく取付方法について説明したが、第３ボルトから締め付ける場合には、その後に単に第１ボルト１４又は第２ボルト１６を締め付けていけば、図９に示すのと同様に、固定片２０、可動片２２ともに取付ベース１２に圧着されて取付部１を挟持固定することができる。このように、本取付台座１０では、第１から第３のボルト１４，１６，１８いずれのボルトから締め付けても、挟持具２４により取付部１を挟持固定することができ、取付作業の繁雑さを減少させることができる。
【００３２】
次いで、取付ベース１２に水栓本体３を取り付ける。図１に示すように、水栓本体３には、取付部１の裏側に配設された給湯管や給水管等の配管（図示省略）と接続される接続管１１２が延設されているが、これらの接続管１１２を取付ベース１２に開口された開口部１１に挿通するとともに、取付ベース１２に水栓本体３を固定する。
【００３３】
なお、本発明の取付台座１０は、上記例に限らない。例えば、上記した取付台座１０のように傾斜面３６を可動片２２の取付ベース１２側の面に設けるのではなく、傾斜面を、固定片２０の反取付ベース１２側の面（取付ベース１２側の反対側の面）に設けてもよく、固定片２０及び可動片２２の双方に傾斜面を設けてもよい。また、固定片２０において、第１ボルト１４が螺入される部分に第１ボルトを軸方向に露呈する切り欠きを設け、該切り欠きから露呈する部分に可動片２２が当接するようにしてもよい。また、固定片２０における第１ボルト１４の螺入部分を下方に十分に長く延出させる等して、可動片２２の第３ボルト１８に添った移動の全域に渡って可動片２２が固定片２０に当接するようにすることで、固定片２０により可動片２２の回動規制を行うようにしてもよい。
【００３４】
さらに、固定片２０と可動片２２との重なり合う部分において、固定片２０側を取付ベース１２側に配置されるようにしてもよい。この場合には、可動片２２側に逃がし部３２を設け、傾斜面３６を、固定片２０における取付ベース１２側の面又は可動片２２における反取付ベース１２側の面の少なくとも一方に設ければよい。
【００３５】
【発明の効果】
本各発明は上記のように構成されているので、構造が簡単で取り付け作業の容易な水栓部品の取付台座とすることができる。また、取付部へ堅固に取り付けることのできる水栓部品の取付台座とすることができる。
【図面の簡単な説明】
【図１】  取付台座及び水栓本体の斜視図である。
【図２】  取付孔に挿通させる際の取付台座の斜視図である。
【図３】  取付孔に挿通させる際の取付台座の底面図である。
【図４】  取付部に固定させる際の取付台座の斜視図である。
【図５】  取付部に固定させる際の取付台座の底面図である。
【図６】  取付部に固定させる際の取付台座の側面図である。
【図７】  取付部に固定させる際の取付台座の要部側面図である。
【図８】  取付部に固定させる際の取付台座の要部側面図である。
【図９】  取付部に固定された取付台座の側面図である。
【図１０】  従来の取付台座の斜視図である。
【図１１】  従来の取付台座の斜視図である。
【符号の説明】
１；取付部、２；取付孔、３；水栓本体、１０；取付台座、１１；開口部、１２；取付ベース、１４；第１ボルト、１５；工具掛け、１６；第２ボルト、１８；第３ボルト、２０；固定片、２２；可動片、２４；挟持具、２６；フランジ部、２８；挿通部、３０；固定片当接部、３２；逃がし部、３４；可動片当接部、３６；傾斜面、１００；取付台座、１１０；取付ベース、１１２；接続管、１２０；挟持具、１２１；ねじ孔、１２２；係止部、１３０；ボルト、１３１；第１ボルト、１３２；第２ボルト、１４０；回り止め。
【図１】
0003928121.tif 000002
【図２】
0003928121.tif 000003
【図３】
0003928121.tif 000004
【図４】
0003928121.tif 000005
【図５】
0003928121.tif 000006
【図６】
0003928121.tif 000007
【図７】
0003928121.tif 000008
【図８】
0003928121.tif 000009
【図９】
0003928121.tif 000010
【図１０】
0003928121.tif 000011
【図１１】
0003928121.tif 000012